(57)【特許請求の範囲】
【請求項１】
室の出入口２の上部に、円弧状に湾曲した軌道３を設け、
軌道３に吊下げ具５を摺動可能に設け、
この吊下げ具５で円弧状に湾曲した扉板６の上部を吊下げた回転ドア装置において、
扉板６の下部に、扉板６と同様の円弧状に湾曲して対向する内側レール２２と外側レール２３を設け、
扉板６の下端部を支承する下部支承体２９の基部３０を、出入口２の一方の前壁部１６等の固定体に取付け、
前記内側レール２２と前記外側レール２３との間であって、かつ前記下部支承体２９の先端部３２において弾性体４１によって水平方向で揺動可能に軸着されたローラ取付け体３８を設け、
内側レール２２に対して回動自在な第１ローラ３９と、
外側レール２３に対して回動自在な第２ローラ４０と、をそれぞれ前記ローラ取付け体３８の対角線上であってかつ端部に設けた回転ドア装置。
【請求項２】
前記第１ローラ３９の半径及び第２ローラ４０の半径を、各ローラ３９，４０がそれぞれ当接する内側レール２２及び外側レール２３の長さに応じて変更して、各レール２２，２３に対する各ローラ３９，４０の回転数が、同一になるようにしたことを特徴とする請求項１に記載の回転ドア装置。
【請求項３】
内側レール２２及び外側レール２３は、それぞれ前記扉板６の裏面側及び表面側に設けられていることを特徴とする請求項１又は２に記載の回転ドア装置。
【発明の詳細な説明】
【０００１】
【発明の属する技術分野】
本発明は、室の出入口などに設置する回転ドア装置に関する。
【０００２】
【従来の技術】
従来、トイレなどの出入口の上部に湾曲した軌道を設け、この軌道に湾曲した扉板を、回動可能に吊下げて出入口を開閉するようにした回転ドア装置は知られている。
【０００３】
しかしながら、前記のような扉板を吊下げたものは、回動時に扉板の下端部が横振れし、開閉しにくく、また、騒音を発生することもあった。
そこで、扉板を設ける出入口の床に軌道を設けることが考えられるが、設置が困難であり、かつ、塵埃等が付着し易く見栄えも良くなかった。
【０００４】
【発明が解決しようとする課題】
本発明は、前記事項に鑑みなされたものであり、湾曲した扉板が、回動時に扉板の下部が横振れせず、回転ドア装置も見栄えの良いものとすることを課題とする。
【０００５】
【課題を解決するための手段】
本発明は、室の出入口２の上部に、円弧状に湾曲した軌道３を設け、軌道３に吊下げ具５を摺動可能に設け、この吊下げ具５で円弧状に湾曲した扉板６の上部を吊下げた回転ドア装置において、扉板６の下部に、扉板６と同様の円弧状に湾曲して対向する内側レール２２と外側レール２３を設け、扉板６の下端部を支承する下部支承体２９の基部３０を、出入口２の一方の前壁部１６等の固定体に取付け、前記内側レール２２と前記外側レール２３との間であって、かつ前記下部支承体２９の先端部３２において弾性体４１によって水平方向で揺動可能に軸着されたローラ取付け体３８を設け、内側レール２２に対して回動自在な第１ローラ３９と、外側レール２３に対して回動自在な第２ローラ４０と、をそれぞれ前記ローラ取付け体３８の対角線上であってかつ端部に設けた回転ドア装置である。
【０００６】
また、本発明は、前記第１ローラ３９の半径及び第２ローラ４０の半径を、各ローラ３９，４０がそれぞれ当接する内側レール２２及び外側レール２３の長さに応じて変更して、各レール２２，２３に対する各ローラ３９，４０の回転数が、同一になるようにしたことを特徴とする。
さらに、本発明は、内側レール及び外側レールは、それぞれ前記扉板６の裏面側（凹面側）及び表面側（凸面側）に設けられていることを特徴とする。
【０００７】
【発明の実施の形態】
以下図に基づいて本発明の実施の形態の説明をする。図１から図５は本発明の回転ドア装置の一実施の形態の説明用の図である。
【０００８】
この実施の形態は、室の出入口２の上部に、ステンレススチール製のパイプ又は丸棒で形成した、半円形の円弧状に湾曲した軌道３を設けている。そして、前記軌道３は、図１及び図２に示すように、出入口２の一方の前壁部１６の上部に一端部を取付けた平板状の軌道支持体４の先端部を、軌道３の外周面の中間部に、溶接等により固着して、軌道３の中央部が下方に垂れ下がるのを防いでいる。
【０００９】
前記軌道３には、Ｃ字状に形成し側部が開口した吊下げ具５を３個摺動可能に外嵌して設けているが、吊下げ具５は４個以上とすることも可能である。
そして、前記吊下げ具５のＣ字状の開口部は、前記した軌道支持体４の部分を摺動するのに使用されるものである。
【００１０】
前記吊下げ具５によって、円弧状に湾曲した扉板６の上部を、各吊下げ具５間の間隔が略等間隔となるようにして吊下げてある。そして、この回転ドア装置は、図１に示すように、出入口２を開放する位置にある扉板６の一方の側部１４と、図２に示すように、出入口２を閉鎖する位置にある扉板６の他方の側部１５とが、出入口２の一方の前壁部１６と重なることができるように、扉板６の幅を図２に示すように、大幅に形成してある。
【００１１】
そして、扉板６の下端部である下面には、図３及び図４に示すように、扉板６の下面に逆凹状部を設けて、扉板６と同様の円弧状に湾曲して対向する内側レール２２と外側レール２３を設けてある。
【００１２】
また、図１及び図２に示すように、出入口２の一方の前壁部１６の下端部の内側に、扉板６の下端部を支承する下部支承体２９の基部３０を取付けてある。  そして、図１及び図２よりも、拡大して描いた図３から図５に示すように、下部支承体２９は、基部３０を止ねじによって、出入口２の一方の前壁部１６の下端部の内側に縦方向に取付けてある。なお、基部３０は、床面側に固定するようにしてもよい。
【００１３】
そして、基部３０の上端部より内方に向かって延びるアーム３１が設けてあり、アーム３１の内方の端部より、上方の内側レール２２と外側レール２３の間に延びる先端部３２を設けてある。
【００１４】
下部支承体２９の先端部３２には、内側レール２２と外側レール２３の長手方向を長辺とした長方形のローラ取付け体３８が、内側レール２２と外側レール２３間で、水平方向に揺動可能に軸着してある。
【００１５】
そして、ローラ取付け体３８には、図３から図５に、特に図４に示すように、ローラ取付け体３８の上面の長手方向の一端部で、かつ内側レール２２寄りの位置に第１ローラ３９が軸着してあり、ローラ取付け体３８の上面の長手方向の他端部で、かつ、外側レール２３寄りの位置に第２ローラ４０が軸着してある。すなわち、内側レール２２に対して回動自在な第１ローラ３９と、外側レール２３に対して回動自在な第２ローラ４０とが、それぞれローラ取付け体３８の対角線上であってかつ端部に設けられている。
【００１６】
また、前記ローラ取付け体３８と下部支承体２９の先端部３２との間には、本体を下部支承体２９の先端部３２に外嵌した、つる巻きばねとして形成したばね（弾性体）４１が介在され、当該つる巻きばねの両端は、折り曲げられて前記ローラ取付け体３８と下部支承体２９の先端部３２とにそれぞれ係止されている（図３、４参照）。
既述のように、下部支承体２９の先端部３２には、ローラ取付け体３８が、内側レール２２と外側レール２３間で、水平方向で揺動可能に軸着してあるので、ローラ取付け体３８に軸周りに外力が加わると、つる巻きばねに回転モーメントが作用し、ローラ取付け体３８を元に戻そうとする力が作用する。
これによって、ローラ取付け体３８の対角線上であってかつ端部に位置する第１ローラ３９及び第２ローラ４０は、それぞれ第１ローラ３９が内側レール２２の内側面に圧接され、第２ローラ４０が外側レール２３の内側面に圧接されるようになるので、前記第１ローラ３９と第２ローラ４０で扉板６の下端部の横振れを抑止する。
【００１７】
すなわち、内側レール２２と外側レール２３の移動距離（レールの長さ）は、レールが湾曲しているため異なるが、レールに圧接するローラは、内側レール２２用の第１ローラ３９と、外側レール２３用の第２ローラ４０とに分担されている。したがって、レールの異なる長さに起因する不具合（スライドのずれ）を、それぞれのローラ３９，４０の異なる回転数として処理し、安定して扉板６を回動することができる。
【００１８】
なお、各ローラの半径を各レールの長さに応じて（内側レール２２及び外側レール２３の曲率中心からの距離に応じて）、大きさを変え、同一の回転数になるように設定してもよい。これにより、さらに騒音が防止できる。
【００１９】
また、内側レールと外側レールは、扉板６の裏面側（凹面側）に内側レールを設けるとともに、表面側（凸面側）に外側レールを設けるようにしてもよい。この場合、２つのローラが扉板６を挟む態様となる。
【００２０】
さらに、各ローラは、球状に形成してもよく、また、各ローラは、それぞれ別のローラ取付け体によって取り付けるようにしてもよい。このように第１ローラ３９と第２ローラ４０が異なるローラ取付け体によって取り付けられることにより、各ローラは独立した動きが許容され、各ローラの位置は、微調整されながら各レールに圧接することができ、より安定して扉板６を回動することができる。
【発明の効果】
本発明は、室の出入口２の上部に設けた円弧状に湾曲した軌道３に、円弧状に湾曲した扉板６を吊下げた回転ドア装置において、扉板６の下端部に、円弧状に湾曲して対向する内側レール２２と外側レール２３を設け、固定体に扉板６を支承する下部支承体２９を取付け、下部支承体２９に弾性体４１によって内側レール２２に回動自在に圧接される第１ローラ３９と、弾性体４１によって外側レール２３に回動自在に圧接させる第２ローラ４０を設けたものである。
【００２１】
したがって、扉板６の下端部は、弾性体４１によって圧接された第１ローラ３９と第２ローラ４０で横振れを防ぐことができ、扉板６の下部による振動と騒音を抑止できるものである。
そして、扉板６の振動抑止のために出入口の床面に、レール等を設けなくともよいので、見栄えもよいものである。
【図面の簡単な説明】
【図１】本発明の一実施の形態の説明用の出入口が開いた状態の斜視図
【図２】本発明の一実施の形態の説明用の出入口が閉鎖された状態の斜視図
【図３】本発明の一実施の形態の説明用の主要部の拡大した側面図
【図４】本発明の一実施の形態の説明用の主要部の拡大した平面図
【図５】本発明の一実施の形態の説明用の主要部の拡大した正面図
【符号の説明】
２  出入口
３  軌道
４  軌道支持体
５  吊下げ具
６  扉板
７  洗面器
１４  扉板の一方の側部
１５  扉板の他方の側部
１６  出入口の一方の前壁部
２２  内側レール
２３  外側レール
２９  下部支承体
３０  基部
３１  アーム
３２  先端部
３８  ローラ取付け体
３９  第１ローラ
４０  第２ローラ
４１  ばね（弾性体）
【図１】
0004533490.tif 000002
【図２】
0004533490.tif 000003
【図３】
0004533490.tif 000004
【図４】
0004533490.tif 000005
【図５】
0004533490.tif 000006